(57)【要約】【課題】本発明はカードに書き込んだ残金データに異常があることを報知することを課題とする。【解決手段】設定器１４の制御部は、プリペイドカード７１に書き込まれた残金データ（第２の金額データ）とプリペイドカード７１に書き込むべき残金データ（第１の金額データ）とが一致しない場合、カードをカードデータ読み取り・書き込み装置から排出し、続いて、残金データ（第１の金額データ）が正しく書き込まれた新規カードを自動的に発行することにより、次回から異常が発生した古いプリペイドカード７１に代わって正常な新規カードを使用できるので、顧客（利用者）が不都合を感じないようにできる。【選択図】　　　　図１
2004035099.tif 000002
【特許請求の範囲】
【請求項１】
予め支払われた金額データを記録されたカードが挿入されるカードデータ読み取り・書き込み装置と、該カードデータ読み取り・書き込み装置に挿入されたカードから読み取られた金額データに基づいて燃料を供給する燃料供給装置とを備えてなる燃料供給システムにおいて、
新規カードを保管する新規カード保管手段と、
前記燃料供給装置からの供給された燃料の料金を前記カードに記憶された金額データから差し引いた第１の金額データを前記カードに書き込んだ後、当該カードから読み込んだ第２の金額データと前記カードに書き込むべき第１の金額データとを比較する比較手段と、
前記比較手段により前記第１の金額データと前記第２の金額データとが一致しない場合、前記カードに記憶されている金額データを消去した後に、当該カードをカードデータ読み取り・書き込み装置から排出し、続いて、前記新規カード保管手段に保管されている新規カードに、前記第１の金額データを書き込み新規カードを発行するカード発行手段と、
該カード発行手段により前記記憶手段に記憶された第１の金額データが書き込まれた新規カードが発行されたことを報知する報知手段と、
を備えてなることを特徴とする燃料供給システム。
【請求項２】
予め支払われた金額データを記録されたカードが挿入されるカードデータ読み取り・書き込み装置と、該カードデータ読み取り・書き込み装置に挿入されたカードから読み取られた金額データに基づいて燃料を供給する燃料供給装置とを備えてなる燃料供給システムにおいて、
前記燃料供給装置からの供給された燃料の料金を前記カードに記憶された金額データから差し引いた第１の金額データを前記カードに書き込み、当該カードから読み取られた第２の金額データと前記第１の金額データとを比較する比較手段と、
前記比較手段により前記第１の金額データと前記第２の金額データとが一致しない場合、前記カードの排出を停止させると共に、前記カードの排出を停止したことを報知する報知手段と、
を備えてなることを特徴とする燃料供給システム。
【発明の詳細な説明】
【０００１】
【発明の属する技術分野】
本発明は、燃料供給システムに係り、特にカードを用いて料金の精算を行うよう構成された燃料供給システムに関する。
【０００２】
【従来の技術】
例えば、セルフサービス方式の計量機が設置された給油所等では、運転者（顧客）自身が給油作業の設定、給油作業、給油料金の精算を行うようになっている。そのため、運転者は、給油を行う前に給油する油種や給油量等のスイッチを有する設定器により所定の油種、給油量または給油金額を入力する設定操作を行った後、給油料金の精算方法を指定するようになっている。
【０００３】
給油料金の精算方法としては、現金で支払う方法、またはプリペイドカードで支払う方法等がある。現金で支払う場合、給油所が発行する会員カードを使用すると、通常の現金価格よりも値引きされた単価で算出された給油料金で精算することができる。
【０００４】
また、プリペイドカードで支払う場合、給油所側では、料金が先払いなので、料金回収を確実に行えると共に、顧客側では給油料金を現金で支払う場合よりも割引が大きいといったメリットがあり、プリペイドカードの利用が促進される傾向にある。
【０００５】
セルフサービス方式の計量機の近傍に給油金額の自動支払機が設けられているアイランド精算方式の場合、プリペイドカードがカードリーダ・ライタに挿入された後に油種を選択すると、選択された油種に対応する油種単価が表示部に表示されると共に、プリペイドカードの残額分のプリセット給油が自動的に設定される。そして、所望の油種（レギュラー、ハイオク、軽油等）の給油ノズルをノズル掛けから外してノズルレバーを開弁操作することで給油が開始される。
【０００６】
計量機に搭載された流量計の計測値（車両への給油量）がプリセット給油量に達する前に満タンとなって自動停止になった場合、給油終了後、プリペイドカードに記録された金額から給油金額を減算した残金データをプリペイドカードに書き込んでプリペイドカードを返却する。
【０００７】
【発明が解決しようとする課題】
ところで、従来の燃料供給システムでは、プリペイドカードの磁気記憶部として形成された磁性材が塗布された磁気ストライプに磁気ヘッドが摺接して給油料金を差し引いた残金データを記録する方式で金額データをプリペイドカードに書き込むため、磁気ストライプが摩耗したり、損傷していると、金額データを正常に書き込むことができない場合がある。
【０００８】
その場合、次回の給油を行う際にプリペイドカードを設定器のカード挿入口に挿入してもプリペイドカードから残金データを正常に読み取ることができないため、プリペイドカードを持っているにも拘らず、給油できないといった不都合が生じる。
【０００９】
また、プリペイドカードは、入金することにより何回でも金額データを更新することができるので、利用者によって１枚当たりの使用回数が多くなる場合があり、長期間の使用により磁気ストライプが損傷することがある。
そこで、本発明は上記課題を解決した燃料供給システムを提供することを目的とする。
【００１０】
【課題を解決するための手段】
本発明は上記課題を解決するため、以下のような特徴を有する。
【００１１】
上記請求項１の発明は、予め支払われた金額データを記録されたカードが挿入されるカードデータ読み取り・書き込み装置と、カードデータ読み取り・書き込み装置に挿入されたカードから読み取られた金額データに基づいて燃料を供給する燃料供給装置とを備えてなる燃料供給システムにおいて、新規カードを保管する新規カード保管手段と、燃料供給装置からの供給された燃料の料金をカードに記憶された金額データから差し引いた第１の金額データをカードに書き込んだ後、当該カードから読み込んだ第２の金額データとカードに書き込むべき第１の金額データとを比較する比較手段と、比較手段により第１の金額データと第２の金額データとが一致しない場合、カードに記憶されている金額データを消去した後に、当該カードをカードデータ読み取り・書き込み装置から排出し、続いて、新規カード保管手段に保管されている新規カードに、第１の金額データを書き込み新規カードを発行するカード発行手段と、カード発行手段により記憶手段に記憶された第１の金額データが書き込まれた新規カードが発行されたことを報知する報知手段と、を備えており、カードに書き込まれた第２の金額データとカードに書き込むべき第１の金額データとが一致しない場合、カードをカードデータ読み取り・書き込み装置から排出し、続いて、第１の金額データが書き込まれた新規カードを自動的に発行することにより、次回から異常が発生した古いカードに代わって正常な新規カードを使用できるので、顧客（利用者）が不都合を感じないようにできる。
【００１２】
また、請求項２の発明は、予め支払われた金額データを記録されたプリペイドカードが挿入されるカードデータ読み取り・書き込み装置と、該カードデータ読み取り・書き込み装置に挿入されたプリペイドカードから読み取られた金額データに基づいて燃料を供給する燃料供給装置とを備えてなる燃料供給システムにおいて、燃料供給装置からの供給された燃料の料金をカードに記憶された金額データから差し引いた第１の金額データをカードに書き込み、当該カードから読み取られた第２の金額データと第１の金額データとを比較する比較手段と、比較手段により第１の金額データと第２の金額データとが一致しない場合、カードの排出を停止させると共に、カードの排出を停止したことを報知する報知手段と、を備えており、カードに記録された金額データが正常でない場合には、異常が発生した当該カードの排出を禁止して当該カードが異常であることを顧客（利用者）に知らせることが可能になる。これにより、利用者は、例えば、給油所の係員にカードが異常であることを連絡して正常な新規カードが発行されるように指示することが可能になる。
【００１３】
【発明の実施の形態】
以下、図面と共に本発明の実施の形態について説明する。
図１は本発明になる燃料供給システムの一実施例の構成を示すブロック図である。
図１に示されるように、燃料供給システムとしての給油システム１０は、大略、給油エリア１１に複数のセルフサービス給油方式の計量機（燃料供給装置）１２（１２１〜１２ｎ）と、各計量機１２（１２１〜１２ｎ）に設けられた設定器１４（１４１〜１４ｎ）と、事務所１６内に設置された管理コンピュータ１８とからなる。
【００１４】
管理コンピュータ１８は、モニタ１８ａ及びプリンタ１８ｂを有する。モニタ１８ａは、給油所の係員の入力操作に応じて設定された表示画面を表示する。また、プリンタ１８ｂは、例えば、給油所の閉店時にその日に給油を行った油液の各油種毎の給油量、給油金額、料金先払いのプリペイドカード７１の発券枚数やカード購入のための入金金額などを印字した伝票を発行する。
【００１５】
管理コンピュータ１８の記憶装置１９には、油種単価及び発行済みの全プリペイドカード７１の流通カード残高（給油可能金額データ）、各給油ノズルの給油量、給油金額、各油種別の給油量、給油金額、プリペイドカード７１の新規発券枚数、書換え枚数、加金枚数及び金額、現金給油の金額、軽油税、消費税、ポイントなどその日の給油に関する各数値データなども記憶されている。
【００１６】
設定器１４（１４１〜１４ｎ）は、セルフサービスユニットとも呼ばれており、各計量機１２（１２１〜１２ｎ）に付設されている。また、設定器１４（１４１〜１４ｎ）は、給油を行う操作者（顧客）が所望する油種、給油量または給油金額を入力することにより各計量機１２（１２１〜１２ｎ）での給油を可能にする。尚、管理コンピュータ１８は、計量機１２（１２１〜１２ｎ）及び設定器１４（１４１〜１４ｎ）と通信回線（ＳＳ−ＬＡＮ）２０を介して接続されている。
【００１７】
また、給油所の管理コンピュータ１８は、釣り銭機２４と接続されている。釣り銭機２４は、セルフサービス給油を行った顧客が現金で精算して釣り銭が必要な場合、設定器１４から発行されたレシート（伝票）に記載された釣り銭の金額を現金で払い戻す。
【００１８】
給油所に到着した車両の運転者（顧客）は、まず給油エリア１１の空いている計量機１２の前に車両を停車させてから設定器１４の設定操作を行う。そして、設定器１４は、紙幣またはプリペイドカード７１が挿入されて油種が選択されると、管理コンピュータ１８へ設定データ（油種、入金金額）を送信する。これに対し、管理コンピュータ１８は、当該給油ポイントの計量機１２へ給油許可信号を出力する。これで、計量機１２は、給油可能な状態になり、顧客は計量機１２の給油ノズルを車両の給油口（図示せず）に挿入して給油を開始することができる。
【００１９】
図２は設定器１４の概略構成を示すブロック図である。
図２に示されるように、設定器１４は、油種入力部２６と、油種設定部２８と、紙幣挿入部３０と、紙幣識別部３２と、カード挿入部３４と、未使用の新規カードを保管する新規カード保管部（新規カード保管手段）３５と、カードリーダ・ライタ（カードデータ読み取り・書き込み装置）３６と、カード発券スイッチ３７と、確認スイッチ３８と、キャンセルスイッチ３９と、油種表示部４０と、入金金額表示部４２と、単価表示部４３と、レシート発行部４６と、スピーカ４８と、レシート発行スイッチ５０と、釣り銭ランプ５２と、これらを制御する制御部５４と、メモリ（記憶手段）５５とを有する。
【００２０】
制御部５４のメモリ５５には、供給された燃料の料金をプリペイドカード７１に記憶された金額データから差し引いた残金データをプリペイドカード７１に書き込み、当該プリペイドカード７１に書き込まれた金額データとプリペイドカード７１に書き込むべき残金データとを比較する制御プログラム（比較手段）が格納されている。また、メモリ５５には、プリペイドカード７１に書き込まれた金額データとプリペイドカード７１に書き込むべき残金データとが一致しない場合、残金データを記憶する制御プログラム（記憶手段）が格納されている。
【００２１】
また、メモリ５５には、プリペイドカード７１に書き込まれた金額データとプリペイドカード７１に書き込むべき残金データとが一致しない場合、カードに記憶されている金額データを消去した後に、当該カードをカードリーダ・ライタ３６から排出し、続いて、新規カード保管部３５に保管されている新規カードに第１の金額データを書き込み、当該新規カードを発行する制御プログラム（カード発行手段）と、記憶された残金データが書き込まれた新規カードが発行されたことを報知する制御プログラム（報知手段）とが格納されている。
【００２２】
カードリーダ・ライタ３６は、管理コンピュータ１８からの指令、あるいは紙幣挿入部３０に入金された後、カード発券スイッチ３７がオンに操作されると、未使用のカード７１が１００枚程度ストックされたカードストッカー（図示せず）から１枚のカード７１を引き出して紙幣識別部３２で識別された入金金額のデータを当該カード７１に磁気記憶させたプリペイドカード７１を発行する。
【００２３】
また、カードリーダ・ライタ３６は、後述するようにプリペイドカード７１に書き込まれた金額データとプリペイドカード７１に書き込むべき残金データとが一致しない場合、プリペイドカード７１を排出し、続いて、新規カード保管部３５に保管されている新規カードに残金データ（第１の金額データ）を書き込み、当該新規のプリペイドカード７１を発行する。
【００２４】
油種入力部２６は、操作者が給油する油種（レギュラーガソリン、ハイオクガソリン、軽油のいずれか）を指定するものであり、油種設定部２８は油種入力部２６により入力された油種を今回給油する油種情報として設定する。
【００２５】
紙幣挿入部３０には、給油前に現金１万円札、５千円札、２千円札、千円札のいずれかが挿入される。そして、紙幣識別部３２では、紙幣挿入部３０に挿入された紙幣の鑑定を行って、紙幣の入金金額を検出する。
【００２６】
また、カード挿入部３４は、給油料金をプリペイドカード７１で精算する場合、プリペイドカード７１が挿入される。そして、カードリーダ・ライタ３６では、カード挿入部３４に挿入されたプリペイドカード７１に記録された金額データ（残金データ）または金額に対応する度数データ、あるいは会員番号、あるいは会社コードを読み取る。また、プリペイドカード７１の場合、磁気ストライプ（磁気記憶部）に給油金額を差し引いた金額（残金）を書き込む。
【００２７】
また、カード発券スイッチ３７は、顧客自身が新しいプリペイドカード７１を購入する際に操作させるスイッチであり、例えば、千円、２千円、５千円、一万円といった入金された紙幣金額に応じた金額データが書き込まれた新しいプリペイドカード７１を取得するためのものである。
【００２８】
確認スイッチ３８は、油種表示部４０に表示された油種及び入金金額表示部４２に表示された入金金額を確認されると、押圧操作される。単価表示部４３は、各油種毎の１リットル当りの単価を表示する。また、キャンセルスイッチ３９は、入力した設定事項（油種や入金金額）をキャンセルする際に操作されるスイッチである。
【００２９】
レシート発行部４６は、給油終了後、給油した油種、給油量、給油金額、入金金額、釣り銭金額を印字したレシート７４を発行する。スピーカ４８は、油種設定の操作方法や入金方法や釣り銭を受け取る場合の方法を音声でガイダンスする。
【００３０】
レシート発行スイッチ５０は、給油終了後に顧客がレシート発行を希望する場合に押圧操作されるものである。また、釣り銭ランプ５２は、給油終了後に点灯してお釣りがあることを顧客に報知するものである。
【００３１】
図３は設定器１４に設けられた操作パネルの一例を示す正面図である。
図３に示されるように、設定器１４の操作パネル５６は、▲１▼プリカ／紙幣挿入→プリカをお持ちの方→残金の少ない方は紙幣も挿入して下さい→プリカを挿入→▲２▼へ進む。プリカ購入の方→紙幣挿入口→発券ボタンを押す→プリカを取る→プリカを挿入→▲２▼へ進む。現金給油の方→紙幣挿入口→▲３▼へ進む。▲２▼油の種類を押す、▲３▼確認→選んだ油の種類と金額を確認したらＹＥＳボタンを押し給油して下さい、ＮＯボタンを押すと、紙幣、プリカが返却されます。▲４▼プリカ／レシートを取る→レシートが必要な方はランプ点滅中にレシートボタンを押して下さい、といった操作手順が記載されている。
【００３２】
「▲１▼プリカ／紙幣挿入」の欄には、紙幣挿入部（紙幣返却も行う）３０と、カード挿入部（発券及びカード返却も行う）３４と、カード発券スイッチ３７と、入金金額表示部４２と、単価表示部４３が配置されている。
さらに、「▲２▼油の種類を押す」の欄には、給油する油種を指定するための油種入力部２６として軽油選択スイッチ５８、ハイオク選択スイッチ６０、レギュラー選択スイッチ６２が配置されている。また、軽油選択スイッチ５８、ハイオク選択スイッチ６０、レギュラー選択スイッチ６２は、ランプが内蔵されており、後述するようにオンに操作されると点灯して選択された油種であることを表示する。
【００３３】
「▲３▼確認」の欄には、確認スイッチ（ＹＥＳスイッチ）３８と、キャンセルスイッチ（ＮＯスイッチ）３９とが設けられている。
「▲４▼プリカ／レシートを取る」の欄には、レシート発行部４６と、レシート発行スイッチ５０とが設けられている。尚、レシート発行スイッチ５０は、ランプが内蔵されており、給油後に点滅してレシート発行の有無を知らせる。
【００３４】
図４はプリペイドカードの裏面に記載される給油料金支払いデータの一例を示す図である。
図４に示されるように、プリペイドカード７１は、磁気カードからなり給油金額を上書きできるリライト方式のプリペイドカードである。そして、このプリペイドカード７１の裏面には、給油料金を支払うための給油可能金額（残金）データが印字されている。この給油可能金額（残金）データは、３０回まで印字することができる。従って、プリペイドカード７１の裏面に記載された給油可能金額（残金）データにより過去の給油料金の支払い状況を確認することができる。
また、プリペイドカード７１は、表面に金額データが磁気記録される磁性材が被覆された磁気記憶部７１ａが形成されている。
【００３５】
そして、カードリーダ・ライタ３６は、プリペイドカード７１が挿入されると、磁気記録された残金データ（残金金額）を読み取ることができると共に、給油終了後に給油料金を差し引いた金額を給油料金精算後の残金データとして更新できる。
【００３６】
ここで、上記燃料供給システムにおける設定器１４が実行する制御処理について説明する。
図５は設定器１４の制御部５４が実行する制御処理を説明するためのフローチャートである。
図５に示されるように、設定器１４の制御部５４は、ステップＳ１１（以下「ステップ」を省略する）でプリペイドカード７１がカード挿入部３４からカードリーダ・ライタ３６に挿入されると、Ｓ１２に進み、プリペイドカード７１の磁気記憶部７１ａに記録された金額データを読み込む。
【００３７】
次のＳ１３では、上記軽油選択スイッチ５８、ハイオク選択スイッチ６０、レギュラー選択スイッチ６２の何れかがオンに操作されて油種選択が行われたかどうかをチェックする。Ｓ１３において、油種選択操作が行われると、Ｓ１４に進み、プリペイドカード７１の磁気記憶部７１ａに記録された金額データの範囲で給油できる給油金額及び給油量を表示する。
【００３８】
次のＳ１５では、紙幣挿入部３０に紙幣が挿入されたかどうかをチェックする。Ｓ１５で紙幣挿入部３０に紙幣の挿入があったときは、Ｓ１６に進み、挿入された入金金額に応じた給油金額及び給油量を表示する。この場合、上記プリペイドカード７１の磁気記憶部７１ａに記録された金額データに入金された紙幣金額を加算した金額が給油可能金額として表示される。
【００３９】
また、上記Ｓ１５において、紙幣挿入部３０に紙幣が挿入されないときは、Ｓ１７に進み、給油ノズルがノズル掛け（図示せず）から外されたかどうかをチェックする。Ｓ１７において、ノズル掛けに設けられたノズルスイッチがオンであるときは、給油ノズルがノズル掛けから外されたものと判断し、Ｓ１８の給油処理に移行する。
【００４０】
また、Ｓ１７において、ノズル掛けに設けられたノズルスイッチ（図示せず）がオフであるときは、上記Ｓ１５に戻る。
【００４１】
Ｓ１８では、車両の燃料タンクに給油された給油量を積算すると共に、給油料金を算出する。次のＳ１９では、給油ノズルがノズル掛けに戻されたかどうかをチェックする。Ｓ１９において、ノズル掛けに設けられたノズルスイッチがオンであるときは、給油ノズルがノズル掛けに戻されていないので、上記Ｓ１８に戻り、給油処理を行う。また、Ｓ１９において、ノズル掛けに設けられたノズルスイッチがオフであるときは、給油ノズルがノズル掛けに戻されているので、給油が終了したものと判断し、Ｓ２０に進む。
【００４２】
Ｓ２０では、プリペイドカード７１から読み込んだ金額データ（及び挿入された紙幣金額を含む金額）から今回給油された給油料金を減算し、給油料金を差し引いた残金データ（第１の金額データ）を演算する。
【００４３】
続いて、Ｓ２１では、残金データをプリペイドカード７１の磁気記憶部７１ａに記憶させると共に、メモリ５５にも残金データを記憶させる。そして、レシート発行部４６から給油料金及びプリペイドカード７１の磁気記憶部７１ａに記憶された残金データ（第１の金額データ）が印字されたレシート７４を発行させる。
【００４４】
次のＳ２２では、プリペイドカード７１に書き込んだ残金データ（第２の金額データ）を読み込む。そして、Ｓ２３に進み、上記Ｓ２２で読み込んだ残金データ（第２の金額データ）と上記Ｓ２１でメモリ５５に記憶させた残金データ（第１の金額データ）を比較して一致するか否か、あるいはレシート７４に印字された残金データ（第２の金額データ）と上記Ｓ２１でメモリ５５に記憶させた残金データ（第１の金額データ）を比較して一致するか否かをチェックする（比較手段）。
【００４５】
上記Ｓ２３において、プリペイドカード７１の磁気記憶部７１ａに記憶された残金（第２の金額データ）とメモリ５５に記憶させた残金データ（第１の金額データ）とが一致した場合、あるいはレシート７４に印字された残金データ（第２の金額データ）とメモリ５５に記憶させた残金データ（第１の金額データ）とが一致した場合には、Ｓ２４に進み、プリペイドカード７１の磁気記憶部７１ａに記憶された金額データが正常であるので、プリペイドカード７１を排出して顧客（利用者）に返却する。
【００４６】
また、上記Ｓ２３において、プリペイドカード７１の磁気記憶部７１ａに記憶された残金（第２の金額データ）とメモリ５５に記憶させた残金データ（第１の金額データ）とが不一致の場合、あるいはレシート７４に印字された残金データ（第２の金額データ）とメモリ５５に記憶させた残金データ（第１の金額データ）とが不一致の場合には、プリペイドカード７１の磁気記憶部７１ａに記憶された金額データが異常であるので、Ｓ２５に進み、当該プリペイドカード７１の磁気記憶部７１ａに記憶された金額データを消去する。
【００４７】
次のＳ２６では、当該プリペイドカード７１（図６を参照）に使用不可（あるいは使用禁止）を示す文字を印字する。図６に示されるように、例えば、プリペイドカード７１には、「このカードは異常が発生しました。代わりに新規カードを発行します」といったメッセージを印字する。また、プリペイドカード７１にパンチ孔７１ａを設けることにより、利用者が視覚的にカードリーダ・ライタ３６への挿入が禁止されたことを認識できると共に、カードリーダ・ライタ３６においてもパンチ孔７１ａを検出することで磁気記憶部７１ａに記憶された金額データの読み取りを拒否することが可能になる。
【００４８】
次のＳ２７では、当該プリペイドカード７１のＩＤ番号を使用禁止とする禁止データを当該プリペイドカード７１の磁気記憶部７１ａに記憶させる。
【００４９】
Ｓ２８では、プリペイドカード７１を排出して顧客（利用者）に返却する。次のＳ２９で禁止データが書き込まれたプリペイドカード７１がカード挿入部３４から取り出されたかどうかをチェックする。Ｓ２９において、使用禁止のプリペイドカード７１がカード挿入部３４から取り出されると、Ｓ３０に進み、新規カード保管部３５に保管されている新規カードにメモリ５５に記憶された残金データ（第１の金額データ）を記憶させると共に印字させる（カード発行手段）。そして、Ｓ３１ではメモリ５５に記憶された残金データ（第１の金額データ）を書き込まれた新規カードをカード挿入部３４から排出させると共に、図７に示すようなレシート７４をレシート発行部４６から発行する（カード発行手段）。
【００５０】
このように、顧客のプリペイドカード７１の磁気記憶部７１ａに異常が発生して使用できない場合には、使用禁止された当該プリペイドカード７１が排出されるの続いて新規カードを発行するので、顧客が新規カードを取り忘れることが無く、且つレシート７４（図７を参照）が発行されるので、新規カードの発行をその場で確認することが可能になっている。
【００５１】
従って、本実施例では、プリペイドカード７１に書き込まれた残金データ（第２の金額データ）とプリペイドカード７１に書き込むべき残金データ（第１の金額データ）とが一致しない場合、カードをカードデータ読み取り・書き込み装置から排出し、続いて、残金データ（第１の金額データ）が正しく書き込まれた新規カードを自動的に発行することにより、次回から異常が発生した古いプリペイドカード７１に代わって正常な新規カードを使用できるので、顧客（利用者）が不都合を感じないようにできる。
【００５２】
ここで、変形例について図８を参照して説明する。
図８は設定器１４の制御部５４が実行する変形例の制御処理を説明するためのフローチャートである。
図８に示されるように、Ｓ４１〜Ｓ５４の処理は、前述したＳ１１〜Ｓ２４の処理と同一であるので、ここでは、その説明を省略する。
【００５３】
設定器１４の制御部５４は、Ｓ５３において、プリペイドカード７１の磁気記憶部７１ａに記憶された残金（第２の金額データ）とメモリ５５に記憶させた残金データ（第１の金額データ）とが不一致の場合、あるいはレシート７４に印字された残金データ（第２の金額データ）とメモリ５５に記憶させた残金データ（第１の金額データ）とが不一致の場合には、プリペイドカード７１の磁気記憶部７１ａに記憶された金額データが異常であるので、Ｓ５５に進み、カードリーダ・ライタ３６に挿入されたプリペイドカード７１の排出動作を停止する。これにより、プリペイドカード７１は、カードリーダ・ライタ３６に挿入された状態を維持する。
【００５４】
次のＳ５６では、プリペイドカード７１への残金データの書き込みエラーが発生したことを報知する（報知手段）。この残金データの書き込みエラーを報知する方法としては、音声メッセージで顧客に報知しても良いし、あるいはディスプレイ等に文字情報として表示することも可能である。
【００５５】
次のＳ５７では、異常のあったプリペイドカード７１の排出が指示されたかどうかをチェックする。Ｓ５７において、例えば、顧客が給油所の係員を呼んで、係員がカード排出スイッチ（図示せず）がオンに操作してプリペイドカード７１の排出を指示したときは、Ｓ５８に進み、カードリーダ・ライタ３６に挿入されたプリペイドカード７１をカード挿入部３４から排出する。
【００５６】
続いて、Ｓ５９において、異常が発生したプリペイドカード７１がカード挿入部３４から取られると、Ｓ６０に進み、新規カード保管部３５に保管されている新規カードにメモリ５５に記憶された残金データ（第１の金額データ）を記憶させると共に印字させる（カード発行手段）。そして、Ｓ６１では、メモリ５５に記憶された残金データ（第１の金額データ）を書き込まれた新規カードをカード挿入部３４から排出させると共に、図７に示すようなレシート７４をレシート発行部４６から発行する（レシート発行手段）。
【００５７】
このように、プリペイドカード７１に記録された金額データが正常でない場合には、Ｓ５６で異常が発生した当該プリペイドカード７１の排出を禁止して当該プリペイドカード７１が異常であることを顧客（利用者）に知らせることが可能になる。これにより、顧客（利用者）は、例えば、給油所の係員にカードが異常であることを連絡して正常な新規カードが発行されるように指示することも可能になる。
【００５８】
尚、上記実施例では、プリペイドカード７１が磁気記録部を有するものとしたが、これに限らず、他の記憶形式のカード（例えば、ＩＣカードやメモリカード等）を使用できるのは勿論である。
【００５９】
また、上記実施例では、給油所で油液を給油する場合について説明したが、これに限らず、ガソリンや軽油以外の燃料として、例えば、ＣＮＧ，ＬＰＧ，ＬＮＧあるいは燃料電池で使用される水素等を供給する燃料供給システムにも適用できるのは勿論である。
【００６０】
また、上記実施例では、セルフサービス方式の計量機で給油する構成の給油システムを一例として挙げたが、これに限らず、本発明は給油所の係員が給油操作を行う通常の給油システムにも適用できるのは勿論である。
【００６１】
【発明の効果】
上述の如く、請求項１の発明によれば、予め支払われた金額データを記録されたカードが挿入されるカードデータ読み取り・書き込み装置と、カードデータ読み取り・書き込み装置に挿入されたカードから読み取られた金額データに基づいて燃料を供給する燃料供給装置とを備えてなる燃料供給システムにおいて、新規カードを保管する新規カード保管手段と、燃料供給装置からの供給された燃料の料金をカードに記憶された金額データから差し引いた第１の金額データをカードに書き込んだ後、当該カードから読み込んだ第２の金額データとカードに書き込むべき第１の金額データとを比較する比較手段と、比較手段により第１の金額データと第２の金額データとが一致しない場合、カードに記憶されている金額データを消去した後に、当該カードをカードデータ読み取り・書き込み装置から排出し、続いて、新規カード保管手段に保管されている新規カードに、第１の金額データを書き込み新規カードを発行するカード発行手段と、カード発行手段により記憶手段に記憶された第１の金額データが書き込まれた新規カードが発行されたことを報知する報知手段と、を備えたため、カードに書き込まれた第２の金額データとカードに書き込むべき第１の金額データとが一致しない場合、カードをカードデータ読み取り・書き込み装置から排出し、続いて、第１の金額データが書き込まれた新規カードを自動的に発行することにより、次回から異常が発生した古いカードに代わって正常な新規カードを使用できるので、顧客（利用者）が不都合を感じないようにできる。
【００６２】
また、請求項２の発明によれば、予め支払われた金額データを記録されたプリペイドカードが挿入されるカードデータ読み取り・書き込み装置と、該カードデータ読み取り・書き込み装置に挿入されたプリペイドカードから読み取られた金額データに基づいて燃料を供給する燃料供給装置とを備えてなる燃料供給システムにおいて、燃料供給装置からの供給された燃料の料金をカードに記憶された金額データから差し引いた第１の金額データをカードに書き込み、当該カードから読み取られた第２の金額データと第１の金額データとを比較する比較手段と、比較手段により第１の金額データと第２の金額データとが一致しない場合、カードの排出を停止させると共に、カードの排出を停止したことを報知する報知手段と、を備えたため、カードに記録された金額データが正常でない場合には、異常が発生した当該カードの排出を禁止して当該カードが異常であることを顧客（利用者）に知らせることが可能になる。これにより、利用者は、例えば、給油所の係員にカードが異常であることを連絡して正常な新規カードが発行されるように指示することが可能になる。
【図面の簡単な説明】
【図１】本発明になる給油システムの一実施例の構成を示すブロック図である。
【図２】設定器１４の概略構成を示すブロック図である。
【図３】設定器１４に設けられた操作パネルの一例を示す正面図である。
【図４】プリペイドカードの裏面に記載される給油料金支払いデータの一例を示す図である。
【図５】設定器１４の制御部５４が実行する制御処理を説明するためのフローチャートである。
【図６】異常が発生したプリペイドカードへの印字例を示す図である。
【図７】異常が発生したプリペイドカードを発行する場合のレシートの印字例を示す図である。
【図８】設定器１４の制御部５４が実行する変形例の制御処理を説明するためのフローチャートである
【符号の説明】
１２（１２１〜１２ｎ）　計量機
１４（１４１〜１４ｎ）　設定器
１８　管理コンピュータ
１８ａ　モニタ
１８ｂ　プリンタ
１９　記憶装置
２６　油種入力部
２８　油種設定部
３０　紙幣挿入部
３２　紙幣識別部
３４　カード挿入部
３５　新規カード保管部
３６　カードリーダ・ライタ
３７　カード発券スイッチ
３８　確認スイッチ
３９　キャンセルスイッチ
４０　油種表示部
４２　入金金額表示部
４３　単価表示部
４６　レシート発行部
５０　レシート発行スイッチ
５２　釣り銭ランプ
５６　操作パネル
５８　軽油選択スイッチ
６０　ハイオク選択スイッチ
６２　レギュラー選択スイッチ
７１　プリペイドカード
【図１】
2004035099.tif 000003
【図２】
2004035099.tif 000004
【図３】
2004035099.tif 000005
【図４】
2004035099.tif 000006
【図５】
2004035099.tif 000007
【図６】
2004035099.tif 000008
【図７】
2004035099.tif 000009
【図８】
2004035099.tif 000010